(57)【要約】【課題】木製バットでありながら凹み等の変形摩耗を抑え、木製バット自体に亀裂を招いたり折れたりし難い、耐久性、衝撃性等に優れ、安定した飛距離のある任意方向への安打を長期に渡って提供できる木製バットの提供を目的とする。【解決手段】少なくとも打球部の表層部にポリカーボネート樹脂製筒体を圧入被覆してあることを特徴とする。  ここで、ポリカーボネート樹脂製筒体を圧入被覆したとは、木製バットの打球部外径を最終製品外径より小さく製作し、打球部のベース部とした場合に、ポリカーボネート樹脂製筒体を圧入被覆した際にこのベース部に圧縮応力が負荷されるように嵌合固定することをいう。【選択図】  図１
2006141442.tif 000002
【特許請求の範囲】
【請求項１】
少なくとも打球部の表層部にポリカーボネート樹脂製筒体を圧入被覆してあることを特徴とする木製バット。
【請求項２】
ヘッド部と打球部とテーパー部とグリップ部を備えた木製バットにおいて、打球部の表層部にポリカーボネート樹脂製筒体を圧入被覆し、打球部の芯部に沿って挿入孔を備え、ヘッド部に備えた挿入部を打球部側の挿入孔に圧入嵌着してあることを特徴とする木製バット。
【発明の詳細な説明】
【技術分野】
【０００１】
本発明は、野球用等の木製バットに関し、特に木製バットの打球部の摩耗を抑えた耐久性、衝撃性等に優れた木製バットに係る。
【背景技術】
【０００２】
野球やソフトボール等の球技に用いられる木製バットは一般的にタモ材やホウノキ等で成形されており材質の違いにより耐久性や衝撃性に差異があるものの、アルミニウム合金等の金属製バットや、グラスファーバー等にマトリックス樹脂を含浸硬化させた繊維強化プラスチック製バットに比べて耐久性が乏しかった。
木製バットの耐久性が乏しいが故に、長期に渡って打球を繰り返すと木製バットは凹み等の変形摩耗が激しく、安定した飛距離のある任意方向への安打を長期に渡って提供することは出来なかった。
また、木製バットは衝撃性も乏しく、打球する球の衝撃力が大きすぎると打球時の圧縮変形部を復元出来ずに木製バット自体に亀裂を招いたり最悪の場合は折れてしまい、長期間使用することは出来なかった。
特に、ノックバッティング用の木製バットは軟らかく、局部変形や摩耗が激しい問題があった。
【０００３】
そこで、木製バットの耐久性向上を図る例としては、特開２００１−１５７７２５号公報には、打球部にブラスト装置にて凹部を形成し、この凹部に合成樹脂等を充填する技術を開示する。
しかし、製造工程が複雑であり、耐衝撃性向上が不充分であった。
【０００４】
【特許文献１】特開２００１−１５７７２５号公報
【発明の開示】
【発明が解決しようとする課題】
【０００５】
本発明は、木製バットでありながら凹み等の変形摩耗を抑え、木製バット自体に亀裂を招いたり折れたりし難い、耐久性、衝撃性等に優れ、安定した飛距離のある任意方向への安打を長期に渡って提供できる木製バットの提供を目的とする。
【課題を解決するための手段】
【０００６】
本発明に係る木製バットの技術的要旨は、少なくとも打球部の表層部にポリカーボネート樹脂製筒体を圧入被覆してあることを特徴とする。
ここで、ポリカーボネート樹脂製筒体を圧入被覆したとは、木製バットの打球部外径を最終製品外径より小さく製作し、打球部のベース部とした場合に、ポリカーボネート樹脂製筒体を圧入被覆した際にこのベース部に圧縮応力が負荷されるように嵌合固定することをいう。
【０００７】
製作手段としては、打球部のベース部の外径をポリカーボネート樹脂製筒体の内径より少し大き目にしておき、ポリカーボネート樹脂製筒体を機械的に押圧嵌挿する方法、又は、ポリカーボネート樹脂製筒体を打球部のベース部に嵌挿被覆後に外周を機械的にしぼりをかけて、このポリカーボネート筒体を打球部のベース部に圧着させる方法等が例として挙げられる。
【０００８】
また、打球部にポリカーボネート製樹脂筒体をより圧着した状態にする目的、あるいは製作のしやすさを目的に、ヘッド部と打球部とテーパー部とグリップ部を備えた木製バットにおいて、打球部の表層部にポリカーボネート樹脂製筒体を圧入被覆し、打球部の芯部に沿って挿入孔を備え、ヘッド部に備えた挿入部を打球部側の挿入孔に圧入嵌着してあることを特徴とする。
このように、打球部の芯部に沿って挿入孔を備え、ヘッド部に備えた挿入部を打球部側の挿入孔に、いわば、楔を打つように圧入することにより、打球部にヘッド部が確実に固定されるだけでなく、ヘッド部の挿入固定時に打球部のベース部に芯部から外周側に向けて圧縮応力が負荷され、打球部のベース部とポリカーボネート樹脂製筒体がより密着（圧着）するように作用する。
【発明の効果】
【０００９】
本発明においては、木製バットの打球部にポリカーボネート樹脂製筒体を圧入被覆（圧入嵌着）したために、ポリカーボネート樹脂製筒体の内周面と打球部のベース部外周面とに相互に反発力が働いた状態に頑固に固着している。
従って、木製バットの打球部でボールを打つ際に生じる衝撃エネルギーは、圧縮応力がかかっているポリカーボネート樹脂製筒体全体に伝搬し、大きな復元力として反作用するのみならず、この筒体の内周面と打球部のベース部外周面にこすれ状のズレが生じるのを防ぎ、木質部分の摩耗や変形を抑える。
これにより、打球部の衝撃性が向上し、ポリカーボネートの有する耐摩耗性により木製バットの使用寿命が延びる。
【発明を実施するための最良の形態】
【００１０】
図１（イ）に本発明に係る実施例として、木製バット１０の正面図、図１（ロ）にその断面図を示す。
また、図２に分解斜視図を示す。
木製バット１０は、ヘッド部１１、打球部１２、テーパー部１３、グリップ部１４で構成している。
図２に示すように、木製バット１０の打球部１２は、ポリカーボネート樹脂製筒体１５の厚み相当分を細くした打球部１２のベース部１２ａとする。
ここで、ポリカーボネート樹脂製筒体１５（以下筒体１５と称する）の内径１５ａは、打球部１２のベース部外径１２ｂより小さく製作してあり、筒体１５を圧入嵌挿することによりベース部１２ａ外周に圧縮応力が生じるようになっている。
これにより、筒体がバットの打球部に圧入被覆した状態になる。
また、筒体１５の外径１５ｂは組立後に最終製品形状になるように製作してあり、テーパー部１３側には筒体１５の挿入代を規制する係止周壁１３ａを形成してある。
【００１１】
次に、打球部１２の芯部に沿って形成した挿入孔１２ｃに、ヘッド部１１に形成した略円柱状の挿入部１１ａを圧入嵌着する。
なお、挿入孔１２ｃの内径はヘッド部１２側の挿入部１１ａ外径より少し小さくしてあり、挿入部１１ａの外径は、グリップ側に向けて小さく徐変してある。
また、ヘッド部１１の打球部１２への圧入は打球部１２に筒体１５を圧入後にしてもよいが、ヘッド部１１の圧入により同時にその力で筒体１５を圧入してもよい。
【００１２】
打球部１２のベース部１２ａに筒体１５を圧入した後に最終製品形状に調整するのに、筒体１５の外周にしぼりをかけるとさらに打球部１２のベース部１２ａに筒体１５の内周面が密着する。
【００１３】
図３に上記の形態とは異なる形態のヘッド部打球部一体型木製バット２０（以下木製バット２０と称する）の断面図を示し、図４にこの木製バット２０の分離斜視図を示す。
木製バット２０はヘッド部２１、打球部２２、テーパー部２３、グリップ部２４で構成している。
図４に示すように、木製バット２０の打球部２２は、ヘッド部２１から打球部２２に渡ってポリカーボネート樹脂製筒体２５の厚み相当分を細くしたベース部２２ａとする。
ここで、ポリカーボネート樹脂製筒体２５（以下筒体２５と称する）の内径２５ａは、打球部２２のベース部外径２２ｂより小さく製作してあり、筒体２５を圧入被覆（圧入嵌挿）することによりベース部２２ａ外周に圧縮応力が生じるようになっている。
また、筒体２５の外径２５ｂは組立後に最終製品形状になるように製作してあり、テーパー部２３側には筒体２５の挿入代を規制する係止周壁２３ａを形成してある。
そして、ベース部２２に筒体２５を圧入嵌挿させ、筒体２５を係止周壁にて係止するまで圧入嵌挿すれば木製バット２０の完成である。木製バット１０と同様に打球部２２のベース部２２ａに筒体２５を圧入した後に最終製品形状に調整するのに、筒体２５の外周にしぼりをかけるとさらに打球部２２のベース部２２ａに筒体２５の内周面が密着する。
【００１４】
これらの実施例木製バット１０、２０は耐久性に優れており１万球の球を打っても打球部１３、２３に凹み等の変形摩耗が生じなかった、また衝撃性にも優れているので速度１５０ｋｍ／ｓで投げられた球を立て続けに２０球打っても木製バット１０、２０自体に亀裂を招くこと無く折れる心配も無い。このことからこの木製バット１０、２０は野球やソフトボール等の球技種類と、打球の際のノックやフルスイング等の用途種類と、軟質ボールや衝撃力の強い硬化ボール等の球種類と、に関係無く、耐久性に優れ打球部１３、２３が凹み等の変形摩耗し難く復元力を維持出来るので安定した飛距離のある任意方向への安打を長期に渡って提供出来、衝撃性にも優れ木製バット１０、２０自体に亀裂を招いたり折れたりすること無く長期間使用出来る。
【図面の簡単な説明】
【００１５】
【図１】本発明に係る木製バットを示し（イ）には正面図、（ロ）には断面図を示す。
【図２】本発明に係る木製バットの分解斜視図を示す。
【図３】本発明に係る木製バットのヘッド部打球部一体型木製バット２０の断面図を示す。
【図４】ヘッド部打球部一体型木製バット２０の分離斜視図を示す。
【符号の説明】
【００１６】
１０      木製バット
１１      ヘッド部
１１ａ    挿入部
１２      打球部
１２ａ    ベース部
１２ｂ    ベース部外径
１２ｃ    挿入孔
１３      テーパー部
１３ａ    係止周壁
１３ｂ    挿入孔
１４      グリッド部
１５      ポリカーボネート樹脂製筒体
１５ａ    筒体の内径
１５ｂ    筒体の外径
２０      ヘッド部打球部一体型木製バット
２１      ヘッド部
２２      打球部
２２ａ    ベース部
２２ｂ    ベース部外径
２３      テーパー部
２３ａ    係止周壁
２４      グリップ部
２５      ポリカーボネート樹脂製筒体
２５ａ    筒体の内径
２５ｂ    筒体の外径
【図１】
2006141442.tif 000003
【図２】
2006141442.tif 000004
【図３】
2006141442.tif 000005
【図４】
2006141442.tif 000006